(57)【要約】【課題】  取付ビスを一切露出させず、また、簡易に多様なデザインに変更可能で継ぎ目を意識させず、外観意匠性に優れ、さらに、交換容易で作業効率性にも優れるとともに、堅固に固定することのできる建築物の独立柱用化粧材を提供する。【解決手段】  建築物の独立柱Ｐに取り付ける独立柱用化粧材１であって、前記独立柱Ｐの側面に沿う板状に形成され、該板状の左右両端側で取付ビスαによりビス留めして独立柱Ｐの各側面に取り付ける複数のベース材２と、前記独立柱Ｐの角に沿って屈曲して形成したカバー面３１及び該カバー面３１の両先端から内方向に屈曲して前記独立柱Ｐからの厚みを持たせるための厚み面３２を有し、前記ベース材２の取付ビスαを被覆するように独立柱Ｐの各角に取り付ける複数のカバー材３とからなる【選択図】図１
2018028235.tif 000002
【特許請求の範囲】
【請求項１】
建築物の独立柱に取り付ける独立柱用化粧材であって、
前記独立柱の側面に沿う板状に形成され、該板状の左右両端側で取付ビスによりビス留めして独立柱の各側面に取り付ける複数のベース材と、
前記独立柱の角に沿って屈曲して形成したカバー面及び該カバー面の両先端から内方向に屈曲して前記独立柱からの厚みを持たせるための厚み面を有し、前記ベース材の取付ビスを被覆するように独立柱の各角に取り付ける複数のカバー材とからなることを特徴とする独立柱用化粧材。
【請求項２】
前記複数のベース材は、夫々外方向に突出する二本の縦リブ部を形成し、該二本の縦リブ部の各内側側面を貫通する切欠きを夫々一又は複数設けてなり、
前記複数のカバー材は、前記両厚み面から前記独立柱の角方向に突出して前記切欠きに対応する位置に一又は複数の係止片を形成するとともに、該各係止片を前記独立柱の各側面に取り付けるベース材の二本の縦リブ部のうち同じ角側にある縦リブ部の切欠きに夫々嵌合してなることを特徴とする請求項１に記載の独立柱用化粧材。
【請求項３】
前記各ベース材の左右両側辺のいずれか一方を屈曲させてフランジを形成してなることを特徴とする請求項１又は２のいずれかに記載の独立柱用化粧材
【請求項４】
前記二本の縦リブ部のうち一方又は両方の縦リブ部に設けた一又は複数の切欠きの上部を前記係止片の幅広に応じて嵌め込み可能に開口した孔部として形成してなることを特徴とする請求項２又は３のいずれかに記載の独立柱用化粧材。
【発明の詳細な説明】
【技術分野】
【０００１】
本発明は、取付ビスを一切露出させず、また、簡易に多様なデザインに変更可能で継ぎ目を意識させず、外観意匠性に優れ、さらに、交換容易で作業効率性にも優れるとともに、堅固に固定することのできる建築物の独立柱用化粧材に関する。
【背景技術】
【０００２】
従来、建築物のポーチ柱等の独立柱には、外観意匠性の向上や独立柱の保護を目的としてその側面に取り付けられる化粧材が提供されている。
【０００３】
例えば、柱の外面にその長手方向に沿って設けられる化粧用の柱カバーであって、断面形状コ字型の主柱カバーを互いに開口側を対向させて柱の両側より被覆してその端部側でビス留めするとともに、該主柱カバーの両側の対向する突合せ端部の間に受け金具を取り付け、該受け金具に突起を嵌合させて前記ビスを被覆するように補助カバーを取り付けたことにより、取り付けに用いられるビスの頭が柱カバーの表面に露呈せずに外観意匠性に優れた化粧用の柱カバーが提供されている（特許文献１）。
【先行技術文献】
【特許文献】
【０００４】
【特許文献１】特開平１０−１４０６５０号公報
【発明の概要】
【発明が解決しようとする課題】
【０００５】
しかしながら、特許文献１に記載の技術では、柱の各外面に一点にのみ取付金具と設け、該取付金具に補助カバーの突起を嵌合させることにより固定しているものの、該取付金具等の経年劣化により補助カバーが脱落するおそれがあるという問題があった。
【０００６】
また、該特許文献１に記載の技術では、前記のように主柱カバーの突き合わせ端部に取付金具を設けて補助カバーを取り付けることで、ビス頭及び突き合わせ端部の隙間が露呈することがないとはいえ、主柱カバー及び補助カバーの境界には、外観上、如何にしても継ぎ目が表れてしまい、外観意匠性を損なうという問題もあった。
【０００７】
そこで、本発明は、取付ビスを一切露出させず、また、簡易に多様なデザインに変更可能で継ぎ目を意識させず、外観意匠性に優れ、さらに、交換容易で作業効率性にも優れるとともに、堅固に固定することのできる建築物の独立柱用化粧材を提供することを課題とした。
【課題を解決するための手段】
【０００８】
上記課題を解決するために、本発明は次のように構成した。すなわち、本発明に係る請求項１に記載の独立柱用化粧材は、建築物の独立柱に取り付ける独立柱用化粧材であって、前記独立柱の側面に沿う板状に形成され、該板状の左右両端側で取付ビスによりビス留めして独立柱の各側面に取り付ける複数のベース材と、前記独立柱の角に沿って屈曲して形成したカバー面及び該カバー面の両先端から内方向に屈曲して前記独立柱からの厚みを持たせるための厚み面を有し、前記ベース材の取付ビスを被覆するように独立柱の各角に取り付ける複数のカバー材とからなることを特徴としている。
【０００９】
また、請求項２に記載の独立柱用化粧材は、前記複数のベース材が、夫々外方向に突出する二本の縦リブ部を形成し、該二本の縦リブ部の各内側側面を貫通する切欠きを夫々一又は複数設けてなり、前記複数のカバー材が、前記両厚み面から前記独立柱の角方向に突出して前記切欠きに対応する位置に一又は複数の係止片を形成するとともに、該各係止片を前記独立柱の各側面に取り付けるベース材の二本の縦リブ部のうち同じ角側にある縦リブ部の切欠きに夫々嵌合してなることを特徴としている。
【００１０】
また、請求項３に記載の独立柱用化粧材は、前記各ベース材の左右両側辺のいずれか一方を屈曲させてフランジを形成してなることを特徴としている。
【００１１】
さらに、請求項４に記載の独立柱用化粧材は、前記二本の縦リブ部のうち一方又は両方の縦リブ部に設けた一又は複数の切欠きの上部を前記係止片の幅広に応じて嵌め込み可能に開口した孔部として形成してなることを特徴としている。
【発明の効果】
【００１２】
本発明に係る請求項１に記載の独立柱用化粧材によれば、ベース材の取付ビスを被覆するように該カバー材を取り付けることができるため、外観上、ビス頭を露出させずに優れた外観意匠性を発揮させるとともに、前記カバー材の厚み面により該カバー材及びベース材に高低差の凹凸を設け、該カバー材の間隙からベース材の外面を目地として露出させることにより、ベース材及びカバー材の継ぎ目を意識させず、また、該ベース材及びカバー材を異なる色彩又は模様で形成して交換することにより、多様なデザインに変更することもでき、優れた外観意匠性を発揮させることができる。
【００１３】
また、請求項２に記載の独立柱用化粧材によれば、前記請求項１に記載の独立柱用化粧材による効果とともに、独立柱の各側面に設けたベース材に二本の縦リブ部を設け、同一の角側の縦リブ部の内側側面に貫通して設けた切欠きに前記係止片を嵌合すれば、二つのベース材に亘って独立柱の各角に一つのカバー材を堅固かつ容易に着脱することができ、取り付け作業を容易に行うことができる。
【００１４】
また、請求項３に記載の独立柱用化粧材によれば、ベース材の左右両側辺のいずれか一辺を屈曲させてフランジを形成したことにより、該屈曲部を前記独立柱の角に適合させて取り付けることにより、ベース材の取り付け時の位置決めを容易に行うことができる。
【００１５】
さらに、請求項４に記載の独立柱用化粧材によれば、前記係止片の幅広に応じて嵌め込み可能に形成された切欠き上部の孔部から一方又は両方の係止片を容易に嵌め込むことができ、該嵌め込んだ係止片を切欠きの下部に落とし込むことにより、誰でも容易に係止片を堅固に固定することができ、また、取り外しも容易にすることができる。さらに、該係止片が下部の切欠きに落とし込まれて係止されるため、該出隅化粧カバー材の脱落を防止することができる。
【図面の簡単な説明】
【００１６】
【図１】本発明に係る独立柱用化粧材を示す断面図である。
【図２】ベース材を示す斜視図である。
【図３】ベース材を示す断面図である。
【図４】カバー材を示す斜視図である。
【図５】独立柱化粧材の取り付け手順を示す斜視図である。
【図６】独立柱化粧材の取り付け手順を示す斜視図である。
【図７】独立柱化粧材の取り付け手順を示す斜視図である。
【発明を実施するための形態】
【００１７】
以下、図面に基づいて本発明を具体的に説明する。まず、図１は、本発明に係る独立柱用化粧材１を示す断面図である。該独立柱用化粧材１は、基本的な構成として、前記独立柱Ｐの各側面に沿って取り付ける板状で独立柱４の側面と同数の複数のベース材２と、該ベース材２の表面側に独立柱Ｐの各角に沿って取り付け、各角に沿って屈曲した板状に形成され、独立柱Ｐの角と同数の複数のカバー材３とから構成されている。なお、本実施例においては、独立柱Ｐとして断面視四角形状のポーチ柱を用いて説明する。したがって、本実施例の独立柱用化粧材１においては、夫々４つのベース材２及びカバー材３を用いる。
【００１８】
図２は、前記ベース材２を示す斜視図であり、図３（ａ）は、そのＡ−Ａ断面図であり、図３（ｂ）は、そのＢ−Ｂ断面図である。前記ベース材２は、前記独立柱Ｐの側面に沿う板状で該側面毎に形成され、夫々板状の長手方向に平行する二本の縦リブ部２１が形成されている。各縦リブ部２１の内側側面には、夫々所定の間隔で複数の切欠き２２が貫通して形成されるとともに、一方の縦リブ部２１の切欠き２２の上部には、該縦リブ部２１の底面まで含めて開口する孔部２３が形成されている。
【００１９】
また、各ベース材２は、その左右いずれか一方の側辺を鉛直に屈曲させたフランジ２４が形成されている。本実施例では、図２及び図３に示すように、各ベース材の左側の側辺を屈曲させてフランジ２４が形成されている。該フランジ２４によれば、各ベース材２を独立柱Ｐの側面に取り付ける際、該屈曲して形成したフランジ２４を独立柱Ｐの角に沿うようにベース材２を独立柱Ｐの表面に当接させることで、各ベース材２の取り付け時の位置決めを容易にすることができる。
【００２０】
このように形成した各ベース材は、独立柱Ｐの各側面に対し、その両側端側において取付ビスαを打ち込むことにより取り付けられる。なお、前記フランジ２４を設けずとも、各ベース材２を独立柱Ｐの各側面に取り付けることも可能ではあるが、前記位置決めが容易になるという利点からフランジ２４を設けるのが好ましい。
【００２１】
図４は、前記カバー材３を示す斜視図である。該カバー材３は、カバー面３１、厚み面３２、止水材取付面３３及び係止片３４から形成されている。カバー面３１は、独立柱Ｐの角に沿う角度で屈曲して形成した板状であり、前記ベース材２の表面に取り付けることによって独立柱Ｐの角を被覆する。厚み面３２は、カバー面３１の両端から独立柱Ｐへの取り付け時に該独立柱Ｐの方向へ略鉛直方向に延設してなり、該カバー材３をベース材２に取り付けた際、該ベース材２からの厚みを形成する。また、止水材取付面３３は、厚み面３２の両端から独立柱Ｐの角方向に略鉛直に延設してなり、該止水材取付面３３のベース材２側の表面には、図１に示す止水材Ｘが設けられる。さらに、係止片３４は、該止水材取付面３３を介して厚み面３２の両端から前記ベース材２の切欠き２２に対応する位置に複数突出して形成されている。
【００２２】
なお、本実施例では、止水材Ｘを設ける都合上、該係止片３４を前記厚み面３２の両端から該止水材取付面３３を介して突出させたが、該係止片３４は、該止水材取付面３３を介す又は介さずとも前記厚み面３２の両端から独立柱Ｐの角方向に突出して形成されていればよい。また、前記切欠き２２及び対応する該係止片３４は、独立柱用化粧材１の長さに応じて１又は複数設ければよい。
【００２３】
このように形成されたカバー材３は、独立柱Ｐの各角において、前記独立柱Ｐの各側面に取り付けたベース材２の表面に取り付けられる。その具体的な手順を、以下に、図５乃至図７を用いて説明する。
【００２４】
図５乃至図７は、独立柱用化粧材１の取り付け手順を示す斜視図である。まず、図５に示すように、前記ベース材２の縦リブ部２１を独立柱Ｐの各側面から突出させるようにして、独立柱Ｐの各側面に夫々ベース材２をその両端側で取付ビスαを打ち込むことにより取り付ける。これにより、前記各縦リブ部２１の両方の内側側面に前記所定の間隔で設けた切欠き２２、そして、その一方（図中の左側）の切欠き２２の上部に前記係止片３４の幅広に応じて縦リブ部２１の底面にまで開口して形成した孔部２３が現れる。この際、ベース材２は、前記フランジ２４を独立柱Ｐの各角に沿わせることにより、位置決めを容易にして独立柱４の側面に取り付けることができる。
【００２５】
次に、図６に示すように、前記独立柱Ｐの各側面に取り付けたベース材２の縦リブ部２１のうち、同じ角側にある一対の縦リブ部２１の切欠き２２に前記カバー材３の係止片３４を嵌め込むことにより、独立柱Ｐの各角で各カバー材３をベース材２に取り付ける。この際、まず、カバー材３の両端に設けた係止片３４の一方を、孔部２３を設けていない側（図中の右側）の切欠き２２に嵌め込む。そして、該嵌め込んだ箇所を軸としてカバー材３を独立柱Ｐの角方向に回転するように移動させ（図中の矢印）、同じ角側の他方のベース材２の切欠き２２の上部に設けた孔部２３に他方の係止片３４を嵌め込む。その後、該係止片３４を下部の切欠き２２に落とし込むことにより、夫々係止片３４を切欠き２２に嵌め込み、カバー材３を２つのベース材２に亘って堅固に固定する。これにより、前記ベース材２の両端側で打ち込んだ取付ビスαの一方のビス頭を被覆する。
【００２６】
なお、まず一方の切欠き２２に一方の係止片２２を嵌め込んでカバー材３を回転移動させた後、他方の係止片３４を孔部２３に嵌め込むため、この孔部２３への嵌め込みを容易にするという観点から、縦リブ部２１の内側側面の傾斜角度は、図３（ａ）に示すように、１０８〜１１２°であるのが好ましく、１１０°であることが最適である。
【００２７】
そして、図７に示すように、前記図７で示したカバー材３の取り付けと同様に、独立柱Ｐの各角において、カバー材３を２つのベース材２に亘って取り付けることにより、独立柱Ｐに独立柱用化粧材１を取り付けることができる。これにより、前記取付ビスαのビス頭が全て被覆されるとともに、前記カバー材３の厚み面３２により、ベース材２の外面及びカバー材３のカバー面３１の間に高低差の凹凸が形成される。なお、最後に、特に図示はしないが、上端にキャップを取り付ける。
【００２８】
また、前記カバー材３は、前記手順を逆から行えば、容易に取り外すことができる。
【００２９】
以上のような独立柱用化粧材１によれば、独立柱Ｐの各側面に設けたベース材２に二本の縦リブ部２１を設け、該二本の縦リブ部２１のうち同一の角側の縦リブ部２１の内側側面に設けた切欠き２２に前記係止片３３を嵌合すれば、独立柱Ｐの各角でカバー材３をベース材２に堅固かつ容易に着脱することができ、取り付け作業を容易に行うことができる。
【００３０】
この際、一方の切欠き２２の上部に係止片３３を嵌合可能な幅広の孔部２３を設けたことにより、前記手順によりカバー材３の着脱をより容易にすることができ、かつ、該係止片３３を下部の切欠き２２に落とし込むことにより、堅固にカバー材３を取り付けることができる。また、ベース材２にフランジ２４を設けたことにより、ベース材２の取り付けにおける位置決めも容易になる。
【００３１】
また、ベース材２の取付ビスαを被覆するように該カバー材３を取り付けるため、外観上、ビス頭を露出させずに優れた外観意匠性を発揮させるとともに、前記カバー材３の厚み面３２により該カバー材３のカバー面３１及びベース材２の外面に高低差の凹凸を設け、該カバー材３の間隙からベース材２の外面を目地として露出させることにより、ベース材２及びカバー材３の継ぎ目を意識させずに、優れた外観意匠性を発揮することができる。
【００３２】
また、該ベース材２及びカバー材３を異なる色彩又は模様で形成し、前記の通り着脱容易な該ベース材２及びカバー材３を交換することにより、該独立柱用化粧材１は、多様なデザインに変更することもでき、外観意匠を使用者の嗜好に合せて適宜容易に変更することができる。
【産業上の利用可能性】
【００３３】
上記実施例の独立柱用化粧材１では、ポーチ柱等、独立して設けられる柱であればどのようなものでも被覆することが可能であり、その他多角形状の独立柱Ｐでも、各側面にベース材２を取り付けたのち、独立柱Ｐの角で該ベース材２にカバー材３を取り付けることにより、種々の独立柱Ｐに該独立柱用化粧材１を取り付けることができる。
【符号の説明】
【００３４】
１    独立柱用化粧材
２    ベース材
２１  縦リブ部
２２  切欠き
２３  孔部
２４  フランジ
３    カバー材
３１  カバー面
３２  厚み面
３３  止水材取付面
３４  係止片
Ｐ    独立柱
Ｘ    止水材
α    取付ビス
【図１】
2018028235.tif 000003
【図２】
2018028235.tif 000004
【図３】
2018028235.tif 000005
【図４】
2018028235.tif 000006
【図５】
2018028235.tif 000007
【図６】
2018028235.tif 000008
【図７】
2018028235.tif 000009